(57)【要約】  拳銃（１１）をホルスター（１０）に固定するための拳銃ロック装置（１８）は、前端部分及び後端部分を持つ本体（１９）を含む、ホルスター（１０）に取り付けられるレバー部材（２０）と、本体（１９）を拳銃（１１）に押し付けるため、ホルスター（１０）の内面と接触するために本体（１９）の前端部分から前方及び外方に突出したばね要素（１９Ａ）とを含む。前端に設けられたロックフランジ（２６）が拳銃（１１）と接触し、拳銃（１１）の一部と確実に係合し、拳銃がホルスター（１０）から抜けないようにする。ロックフランジ（２６）を拳銃（１１）から遠ざかる方向に移動させるため、作動アーム（２０）が本体（１９）の後端部分から後方に延びている。ホルスター（１０）に挿入された拳銃（１１）と係合し、拳銃（１１）の一部をロックフランジ（２６）と接触した状態に位置決めする位置決め部材（３０、３１）がホルスター（１０）の内側に取り付けられている。拳銃（１１）をロック装置（１８）に関して適切に位置決めするため、張力デバイス（３２）がホルスター（１０）の内側に取り付けられている。
2009526196.tif 000002
【特許請求の範囲】
【請求項１】
ホルスターに収めることができる拳銃を、本体及び内部キャビティを持つホルスターに固定するための拳銃ロック装置において、
前部分及び後部分を持つレバー部材と、
前記レバー部材を前記ホルスターに移動自在に取り付けるための手段と、
を備え、
前記レバー部材は、前記拳銃が前記ホルスターから抜けないように前記拳銃を前記ホルスター内のホルスター収容位置にロックするため、前記拳銃の一部と確実に係合するためのロック部材を持ち、
前記レバー部材の前記後部分は、前記拳銃を前記ホルスターから抜くことができるように前記ロック部材を前記拳銃から遠ざかる方向に枢動させるように、使用者によって移動できるようになっており、
前記ホルスター内に挿入された前記拳銃を前記ロック部材と接触した状態に位置決めするための張力部材が前記ホルスター内に設けられている、装置。
【請求項２】
請求項１に記載の装置において、
前記レバー部材は、前記ホルスターの本体と接触する前ばね部材を含み、前記前ばね部材は、前記ホルスターに収められた前記拳銃に向かって前記レバー部材の前記前部分を押圧し、前記ロック部材を前記ホルスターに収められた前記拳銃と確実に係合させるようになっている、装置。
【請求項３】
請求項１に記載の装置において、
前記ホルスターの前記本体に型成形によって形成されたキャビティを更に含み、
前記キャビティは、前記レバー部材の前記前部分から間隔が隔てられた内面を有し、これにより、前記レバー部材の前記前部分を、前記ホルスターに収められた前記拳銃から遠ざかる方向に、前記拳銃を前記ホルスターから抜くことができるのに十分な距離だけ移動できるようにする、装置。
【請求項４】
請求項１に記載の装置において、
前記移動自在に取り付けるための手段は、前記レバー部材を前記ホルスターの内側に枢着させるため、前記レバー部材に取り付けられた、間隔が隔てられた一対の柱を含む、装置。
【請求項５】
請求項１に記載の装置において、
前記レバー部材の前記後部分は作動アームを含み、前記作動アームは、前記ホルスター内にある前記拳銃を抜くことができるように、前記レバー部材を作動して前記ロック部材を前記拳銃から遠ざかる方向に移動させるようになっている、装置。
【請求項６】
請求項１に記載の装置において、
前記少なくとも一つのロック部材は、前記拳銃の排莢口（イジェクトポート）の縁部に嵌着する大きさを備えている、装置。
【請求項７】
ホルスターに収めることができる拳銃を、本体及び内部キャビティを持つホルスターに固定するための拳銃ロック装置において、
前部分及び後部分を持ち、前記前部分は外面及び内面を有し、前記内面は、前記拳銃が前記ホルスターから抜けないように前記拳銃の一部と確実に係合し、前記拳銃を前記ホルスターにロックする少なくとも一つのロック部材を含む、レバー部材と、
前記レバー部材を前記キャビティに枢着するための手段と、
を備え、
前記レバー部材の前記後部分は、前記拳銃を前記ホルスターから抜くことができるように前記ロック部材を前記拳銃から遠ざかる方向に枢動させるように、使用者によって移動できるようになっており、
前記拳銃を前記ロック部材と接触した状態に位置決めするための張力部材が前記ホルスター内に設けられている、装置。
【請求項８】
請求項７に記載の装置において、
前記レバー部材は、当該レバー部材の前記前部分から外方に延びる前ばね部材を含み、前記前ばね部材は、前記ホルスターの前記本体と接触し、前記レバー部材の前記前部分を所定位置に押圧し、前記ロック部材を前記ホルスターに収められた前記拳銃と接触させるようになっている、装置。
【請求項９】
請求項７に記載の装置において、
前記枢着するための手段は、前記レバー部材を前記ホルスターに枢着させるため、前記レバー部材に取り付けられた、間隔が隔てられた一対の柱を含む、装置。
【請求項１０】
請求項７に記載の装置において、
前記レバー部材の前記後部分は作動アームを含み、前記作動アームは、前記ホルスター内にある前記拳銃を抜くことができるように、前記レバー部材を枢動して前記ロック部材を前記拳銃から遠ざかる方向に移動させるようになっている、装置。
【請求項１１】
請求項７に記載の装置において、
前記レバー部材の前記後部分は、前記レバー部材を前記ホルスターに取り付けるためのフランジを含み、該フランジは、前記レバー部材を前記ホルスターに取り付けるためのファスナ用の貫通通路を有する、装置。
【請求項１２】
請求項７に記載の装置において、
前記少なくとも一つのロック部材は、前記拳銃の排莢口の縁部に嵌着する大きさを備えている、装置。
【請求項１３】
請求項７に記載の装置において、
前記張力部材は、
拳銃接触面及びカム面を持つ移動自在のアーム部材と、ホルスター係合面とを含む本体と、
前記本体によって支持されており、前記拳銃を強制的に第１位置に置くため、前記拳銃接触面を前記拳銃に当てて位置決めするように前記アーム部材を移動するための、前記カム面と接触した移動自在の部材と、
前記デバイスを前記拳銃ホルスター内に固く取り付ける手段とを含む、装置。
【請求項１４】
請求項１３に記載のデバイスにおいて、
前記本体は、前記ホルスター内での前記拳銃の下方への移動を制限するためのトリガー保護接触面を更に含む、デバイス。
【請求項１５】
請求項１３に記載のデバイスにおいて、
前記移動自在の部材は、前記本体に取り付けられたねじ山を備えたロッドを含み、このねじ山を備えたロッドは、前記カム面と接触した第１端部分と、前記拳銃接触面を移動させるため、使用者が前記ねじ山を備えたロッドを回転させるよう設けられた第２端部分とを含む、デバイス。
【請求項１６】
ホルスターに収めることができる拳銃を固定するための拳銃用ホルスターにおいて、
前記拳銃を支持するためのホルスターを備え、該ホルスターは、
前縁部分及び後縁部分を各々有する一対の側壁であって、前記前縁部分及び後縁部分の各々に沿って接合され、前壁部分及び後壁部分を持つ内部キャビティを形成する、側壁と、
前部分及び後部分を持つ本体を含むレバー部材と、
前記前壁部分と接触して前記本体を前記ホルスターに支持された前記拳銃に対して押し付けるため、前記本体の前記前部分から前方及び外方に突出したばね要素と、
前記本体を前記ホルスターに移動自在に取り付けるための手段であって、前記本体は、前記拳銃が抜けないように、前記拳銃と確実に係合するためのロックフランジを含む、手段と、
前記本体の前記後部分から後方に延びる作動アームであって、該作動アームが第１位置から移動するとき、前記ロックフランジを前記拳銃から遠ざかる方向に移動させ、前記本体を前記拳銃から遠ざかる方向に移動させるような、作動アームと、
前記拳銃の一部を前記ホルスターキャビティ内に位置決めするため、前記ホルスターに挿入された前記拳銃と係合する、前記キャビティの前記後壁部分に取り付けられた位置決め部材と、
を備えた、ホルスター。
【請求項１７】
請求項１６に記載のホルスターにおいて、
前記レバー部材の前記本体は円弧状形状であり、前記本体は、前記キャビティの前記前壁部分から離れて位置決めされた外面と、前記ロックフランジが得られるように形成された内面と、を持つ、ホルスター。
【請求項１８】
請求項１７に記載のホルスターにおいて、
前記ロックフランジは、前記拳銃の排莢口の一部に嵌着し、前記拳銃が抜けないようにする大きさの突出ボスを含む、ホルスター。
【請求項１９】
請求項１７に記載のホルスターにおいて、
前記ロックフランジは、前記拳銃の排莢口の前縁部に当てて位置決めできる突出ボスを含む、ホルスター。
【請求項２０】
請求項１６に記載のホルスターにおいて、
前記レバー部材の前記本体は、前記ホルスターの前記内部キャビティ内に挿入される拳銃の移動を案内するための少なくとも一つの傾斜面を含み、該少なくとも一つの傾斜面は、前記本体の前記前部分の前方に延びる延長アームと、前記拳銃が前記ホルスターから抜けないように前記拳銃の一部とぴったりと隣接して位置決めできる、前記延長アームと一体のブロック部材とを含む、ホルスター。
【発明の詳細な説明】
【技術分野】
【０００１】
本発明は、拳銃が許可なく又は誤ってホルスターから引き出されることがないようにする安全デバイスに関し、更に詳細には、拳銃の排莢口（イジェクトポート）に嵌着し、排莢口の側部に当たるばね負荷されたロックデバイスに関する。
【背景技術】
【０００２】
拳銃が使用者以外の者によってホルスターから抜かれることがないようにする様々な安全デバイスが存在している。
【発明の開示】
【発明が解決しようとする課題】
【０００３】
安全であり、必要な場合に拳銃を手早く抜くことができるが、銃が誤って又は許可されずに移動される可能性を大幅に低減する改良ロックデバイスが望まれている。更に、安全デバイスは、使用者の安全性を更に高めるため、他の安全デバイスと適合性を有さなければならない。
【課題を解決するための手段】
【０００４】
本発明の一の態様では、ホルスターに収めることができる拳銃を、本体及び内部キャビティを持つホルスターに固定するための拳銃ロック装置において、前部分及び後部分を持つレバー部材と、レバー部材をホルスターに移動自在に取り付けるための手段と、を備え、レバー部材は、拳銃がホルスターから抜けないように拳銃をホルスター内のホルスター収容位置にロックするため、拳銃の一部と確実に係合するためのロック部材を有する、装置が提供される。レバー部材の後部分は、拳銃をホルスターから抜くことができるようにロック部材を拳銃から遠ざかる方向に枢動させるよう、使用者によって移動できるようになっている。ホルスター内に挿入された拳銃をロック部材と接触した状態に位置決めするための、張力部材がホルスター内に設けられている。レバー部材は、ホルスターに収められた拳銃に向かってレバー部材の前部分を押圧し、ロック部材をホルスターに収められた拳銃と確実に係合させ、ホルスターの本体と接触する、レバー部材の前部分から外方に延びる前ばね部材を含む。更に、ホルスターの本体に型成形によって形成されたキャビティを含み、キャビティは、レバー部材の前部分から間隔が隔てられた内面を有し、これにより、レバー部材の前部分を、ホルスターに収められた拳銃から遠ざかる方向に、拳銃をホルスターから抜くことができるのに十分な距離だけ移動できるようにする。移動自在に取り付けるための手段は、レバー部材をホルスターの内側に枢着させるため、レバー部材に取り付けられた、間隔が隔てられた一対の柱を含む。レバー部材の後部分は作動アームを含み、作動アームは、ホルスター内にある拳銃を抜くことができるように、レバー部材を作動してロック部材を拳銃から遠ざかる方向に移動させるようになっている。作動レバーアームは、レバー部材を作動するために使用者が作動レバーアームと係合するための親指パッドを含む。レバー部材は、レバー部材をホルスターに取り付けるためのファスナ用の貫通通路を有する。ロック部材は、拳銃の排莢口（イジェクトポート）の縁部に嵌着する大きさを備えている。
【０００５】
本発明の他の態様では、ホルスターに収めることができる拳銃を、本体及び内部キャビティを持つホルスターに固定するための拳銃ロック装置において、前部分及び後部分を持ち、前部分は外面及び内面を有し、内面は、拳銃がホルスターから抜けないように拳銃の一部と確実に係合し、拳銃をホルスターにロックする少なくとも一つのロック部材を含むレバー部材と、このレバー部材をキャビティに枢着するための手段と、を備え、レバー部材の後部分は、拳銃をホルスターから抜くことができるようにロック部材を拳銃から遠ざかる方向に枢動させるように、使用者によって移動できるようになっており、拳銃をロック部材と接触した状態に位置決めするための、張力部材がホルスターに設けられている、装置が提供される。レバー部材は、該レバー部材の前部分から外方に延びる前ばね部材を含み、この前ばね部材は、ホルスターの本体と接触し、レバー部材の前部分を所定位置に押圧し、ロック部材をホルスターに収められた拳銃と接触させるようにする。枢着するための手段は、レバー部材をホルスターに枢着させるため、レバー部材に取り付けられた、間隔が隔てられた一対の柱を含む。レバー部材の後部分は作動アームを含み、この作動アームは、ホルスター内にある拳銃を抜くことができるように、レバー部材を枢動してロック部材を拳銃から遠ざかる方向に移動させるようになっている。レバー部材の後部分は、レバー部材をホルスターに取り付けるためのフランジを含み、このフランジは、レバー部材をホルスターに取り付けるためのファスナ用の貫通通路を有する。ロック部材は、拳銃の排莢口の縁部に嵌着する大きさを備えている。
【０００６】
本発明の別の態様では、ホルスターに収めることができる拳銃を固定するための拳銃用ロック装置において、拳銃を支持するためのホルスターを備え、このホルスターは、前縁部分及び後縁部分を各々有する一対の側壁であって、前縁部分及び後縁部分の各々に沿って接合され、前壁部分及び後壁部分を持つ内部キャビティを形成する、側壁と、前部分及び後部分を持つ本体を含むレバー部材と、前壁部分と接触して本体をホルスターに支持された拳銃に対して押し付けるため、本体の前部分から前方及び外方に突出したばね要素と、本体をホルスターに移動自在に取り付けるための手段であって、本体は、拳銃が抜けないように、拳銃と確実に係合するためのロックフランジを含む、手段と、本体の後部分から後方に延びる作動アームであって、この作動アームが第１位置から移動するとき、ロックフランジを拳銃から遠ざかる方向に移動させ、本体を拳銃から遠ざかる方向に移動させるような、作動アームと、拳銃の一部をホルスターキャビティ内に位置決めするため、ホルスターに挿入された拳銃と係合する、キャビティの後壁部分に取り付けられた位置決め部材と、を備えた、ロック装置が提供される。レバー部材の本体は円弧状形状であり、この本体は、キャビティの前壁部分から離れて位置決めされた外面と、ロックフランジが得られるように形成された内面と、を持つ。ロックフランジは、拳銃の排莢口の一部に嵌着し、拳銃が抜けないようにする大きさの突出ボスを含む。ロックフランジは、レバーによって解放されるまで、拳銃が上方に移動しないように、拳銃の排莢口の前縁部に当てて位置決めできる表面又は突出ボスを含む。レバー部材の本体は、前記ホルスターの内部キャビティ内に挿入される拳銃の移動を案内するための少なくとも一つの傾斜面を含む。ロックフランジは、本体の前部分の前方に延びる延長アームと、拳銃がホルスターから抜けないように拳銃の一部とぴったりと隣接して位置決めできる、延長アームと一体のブロック部材とを含む。
【０００７】
本発明の追加の態様は、拳銃をホルスターに固定するための拳銃ロック装置において、前端部分及び後端部分を持つ本体を含むレバー部材と、本体をホルスター内に支持された拳銃に押し付けるためにホルスターの内面と接触するため、本体の前端部分から前方及び外方に突出したばね要素と、本体をホルスターに移動自在に取り付けるための手段と、を備え、本体は、ホルスターに収められた拳銃が抜けないように拳銃と接触するためのロックフランジを含み、ロックフランジが拳銃と接触した第１位置から第２位置まで移動すると、本体を拳銃から遠ざかる方向に移動させ、ロックフランジを拳銃から遠ざかる方向に移動させる、本体の後端部分から後方に延びる作動アームと、ホルスターに挿入された拳銃と係合し、拳銃の一部をロックフランジと接触した状態に位置決めする、ホルスター内部に取り付けられた位置決め部材とを含む、拳銃ロック装置を提供する。
【０００８】
更に、拳銃接触面及びカム面を持つ移動自在のアーム部材を含む本体を持つ拳銃位置決めデバイスが含まれる。本体は、この本体によって支持されており、カム面と接触したホルスター係合面及び移動自在の部材を更に含む。これは、アーム部材を移動させて拳銃接触面を拳銃に当てて位置決めし、アーム部材を押圧して拳銃接触面を拳銃に当てて位置決めし、拳銃を第１位置に押圧するためである。本体は、デバイスを拳銃ホルスターの内側にしっかりと取り付けるための手段を更に有する。本体は、ホルスター内での拳銃の下方への移動を制限するためのトリガー保護接触面を更に含む。更に、移動自在の部材は、本体に取り付けられたねじ山を備えたロッド部材を備えている。ねじ山を備えたロッドは、カム面と接触した第１端部分と、拳銃接触面を移動させるため、使用者がねじ山を備えたロッドを回転させるよう設けられた第２端部分とを有する。
【発明を実施するための最良の形態】
【０００９】
以下、本発明を例示する添付図面を参照して簡単に説明する。
【００１０】
図１はホルスター１０を示す。このホルスターは、ホルスター本体１２により形成される内部キャビティ１３に拳銃１１を収めた状態で示してある。本体１２は剛性型成形構造であり、その内部には、拳銃１１と係合して抜けないようにする部分１４が、拳銃１１の排莢口（イジェクトポート）又は任意の他の表面と隣接して配置されている。
【００１１】
ホルスター１０の内部キャビティ１３は、特定モデルの拳銃１１用に型成形されており、図２乃至図７で参照番号１８を付した、ばね負荷された排莢口ロックデバイス用の空間を含む。
【００１２】
図２乃至図７に示す特定のロックデバイス１８は、本体１９の取り付けアーム２１から外方に延びる取り付け柱２２を介して取り付けられる。この柱は、ホルスター１０の取り付け穴１６に嵌まる。ロックデバイスの他の構造を以下に説明する。一体成形された作動レバー２０の一端には、親指パッド２４が設けられている。
【００１３】
ロックデバイス１８の本体即ちサドル１９は、特定の拳銃１１の上面と係合し、銃をホルスター内に適正に位置決めするように形成されており、排莢口位置合わせ縁部２６が内部に配置されている。排莢口位置合わせ縁部２６は、拳銃１１の右側排莢口２９の各々の前縁部２７に嵌まる（図１０参照）。好ましくは、向き合った一対の間隔が隔てられた位置合わせ縁部３０、３１が、更に、デバイス本体１９に型成形されており、ここに拳銃が嵌まる。これは、拳銃をデバイス１８に対して位置決めするのを補助する。
【００１４】
ロックデバイス１８は、ホルスター１０の内部に固定したとき、型成形されたキャビティ１７が形成する噛み合い表面の僅かに下に載る。以下に更に詳細に説明するように、拳銃１１を、角度をなしたロックサドル面２３に当ててホルスターキャビティ１３内に挿入すると、ロックデバイス１８がキャビティ１７内に押し込まれ、ロック縁部２６が排莢口２９内に押し込まれ、ロック前縁部２７に当たる。拳銃１１をホルスターから上方に引き抜くため、この位置から、ロック縁部２６を移動して排莢口２９から離すことが必要とされる。角度をなしたロックサドル面２３は、拳銃をホルスター内に適正に着座した位置に案内するため、少なくとも一つの傾斜面として形成されていてもよい。
【００１５】
図１に示す方向から、親指パッド２４に圧力を及ぼすことによって作動アーム２０を後方に移動させることにより、デバイス１８の主本体１９を、柱の軸線２２Ａを中心としてキャビティ１７に向かって枢動させる。ロック縁部２６は、拳銃１１をホルスター１０から抜くことができるのに十分な距離だけ、排莢口の縁部２７から遠ざかる方向に移動する。前ばね部材１９Ａは、作動レバーアーム２０を後方に押し、本体１９を拳銃１１から遠ざかる方向に移動させるとき、枢動部分１９Ｂを中心として曲げることができる。部材１９Ａは、通常は、型成形されたキャビティ１７の内面に当たり、拳銃に対して後方に向かう力を加える。この際、張力デバイス３２がホルスターキャビティ１３内での拳銃１１の適正な位置を維持する。
【００１６】
調節自在の張力デバイス（ＡＴＤ）３２が、ホルスター１０の内部キャビティ１３に固定されている。拳銃１１をホルスター１０に挿入するとき、拳銃１１は、ＡＴＤ３２の角度をなした漏斗状の表面部分３３と接触し、拳銃１１をロックデバイス１８に対して位置決めし、デバイス１８のロック面２６を拳銃１１の排莢口２９と接触した状態に置く。拳銃１１は、ロック縁部２６が排莢口２９の縁部２７に当たって所定位置でロックされる。
【００１７】
張力デバイスは、銃口を置くためのものであり、ホルスターに収められたピストルに張力を加え、即ち拳銃を抜くときに抵抗を及ぼし、ピストルとホルスターとの間の緩い遊びをなくす。
【００１８】
図８乃至図１２を参照すると、これらの図には、ばね負荷された排莢口ロック３４の第２の実施形態が示してある。取り付けパッド３５には、ロックデバイス３４をホルスター１０の内部キャビティ１３にしっかりと取り付けるためのファスナを通す貫通穴３６が設けられている。取り付け穴１６（図１参照）は、ロックデバイス３４を使用する場合には、ホルスターに形成されない。
【００１９】
パッド部材３５は、第１枢動部分４０を中心として移動自在の前レバー３９の一部分である。第２ばね部材３７は、第２枢動部分３８を中心として移動自在である。作動アーム４１は、図９に部分断面で明瞭に示すように、アーム４１をホルスター本体１２の一部に移動自在に位置決めするのに使用されるフック部材４３と隣接するような親指パッド４２を有する。
【００２０】
ロックデバイス３４の主本体４５の上面は、ロック１８をキャビティ１７に嵌着したのと同様の方法で、ロック３４を受け入れるように形成された型成形されたキャビティ４４から間隔が隔てられて嵌着している。ばねレバーアーム３７は、（図１に膨出部４８で示すような）キャビティ４４内に嵌着する。
【００２１】
図８乃至図１２は、特定の拳銃１１に関する排莢口ロック３４の構成を示す。内面４６には、図１乃至図７に関して本明細書中上文中に説明したのと実質的に同じ方法で、排莢口に対して使用できるロック面４７が設けられている。
【００２２】
図１３及び図１４は、調節自在の張力デバイス３２を示す。本体４９は、好ましくは、硬質プラスチック材料製であり、穴５２を介してホルスター１０に取り付けられる。更に、カム面５０がアーム部材５０Ａと一体であり、ねじ穴５４に取り付けられたねじ５３によって僅かに上方に移動できる。部材５１は、ねじ５３に対し、移動限度を与える。上面５５を、ねじ５３を介して、拳銃１１と接触するように調節する。後面５６は、拳銃１１のトリガー保護部と接触し、拳銃移動限度として機能する。下面５７は、ホルスター１０の背部に当接する。
【００２３】
図１５、図１６、及び図１７は、ロックデバイス５８の別の実施形態を示す。デバイス５８は、前方延長アーム５９以外は、ロック３４と同様のものとなっている。延長アーム５９は、その端部６１に包囲フード６０を備えている。フード６０は、銃をホルスター１１内に保持するため、武器６２に設けられた丸みのある細部６２Ａ即ち拳銃６２の前方の照星(muzzle sight)に嵌着する。
【００２４】
ロックデバイス５８は、主本体又はサドル４５と隣接して十分なロック面を含まない火器、例えば、図２２に示す火器に対して使用される。かくして、ロックデバイス５８は、必ずしもロック縁部２６及び４７を備えていないが、６４Ａや６６Ａ等の前方ロック面を含む。
【００２５】
図１８を参照すると、この図には別の実施形態のロックデバイス６３の斜視図が示してある。ロック６３は、傾斜面６４Ｂを含む延長アーム６４を除き、ロックデバイス３４と実質的に同じである。楕円形のボス６４Ａが、グロック(Glock) ７８に形成された楕円形形状のライトニングカット(lightening cut)７９及び係合肩部８０に嵌着する（図２３参照）。
【００２６】
図１９及び図２０は、別のロックデバイス６５を示す。このロックデバイス６５は、ベレッタ(Berretta)７６等の特定の火器で使用する延長アーム６６及びロック面６６Ａを除き、デバイス３４と実質的に同じである（図２２参照）。
【００２７】
本明細書中上文中に開示したロックデバイスの各々は、以下に説明するように作動する。各ロックデバイスは、上面及び下面を持つ前部分及びこの前部分に枢動点を介して連結された後部分を有する。前部分は、ホルスター内で拳銃に下方に押し付けられており、幾つかの領域（排莢口等）が銃と確実に係合し、銃が抜けないように銃をホルスター内にロックする。サドル位置の下面には、角度をなした即ち傾斜した表面が設けられており、これらの表面がデバイスを銃の遊底に位置決めし、拳銃の移動方向を定めることによってデバイスを中心決めする。後方のレバー作動式アームに圧力を及ぼすことにより、デバイスの銃係合前部分を銃から遠ざかる方向に移動させる。前部分を、デバイス１８の取り付け軸線を中心として、即ちデバイス３４、５８、６３、及び６５の領域４０等の枢動領域を中心として枢動する。デバイス前部に設けられたばね部材は、デバイスを銃に押し付ける手段を提供するが、これは、ロック部分本体即ちサドルと、ホルスターの前部分に配置されたかみ合い表面との間に隙間を形成できるように行われる。これにより、ロック部分本体を、ホルスターに収められた火器のロックの特徴部分から遠ざかる方向に移動させることによって、デバイスを銃にロックした状態から外すのに十分な空間が提供される。銃をホルスター内に位置決めするのを補助し、拳銃とロックデバイスとの間を適正に係合させるため、参照符号３２等で示すような調節自在の張力デバイスが設けられている。
【００２８】
ロックデバイス及び噛み合い表面の正確な寸法は、関連する特定の拳銃で決まる。
【００２９】
使用されたホルスター１０が開放銃口端を持つ場合には、使用される好ましい張力デバイスは、図２１に示すデバイス６７である。アーム部材７２と一体の銃接触面６８は、カム面７３を備えている。カム面７３は、通路７５にねじ込んだ調節ねじ７４と接触している。底面７１は、ホルスター１０のスパイン即ち後方部分に当たる。銃接触面７６は、拳銃のトリガー保護部と接触し、ホルスター１０内の拳銃１１に対して移動限度を与える。ホルスター１０の開放銃口端を通して調節ねじ７４にアクセスでき、かくして調節を手早く且つ便利に行うことができる。
【００３０】
調節自在の張力デバイス（ＡＴＤ）３２及び６７の代りに、ローラーや楔状ブロック等の多くの他のデバイスを使用できる。ＡＴＤ３２及び６７は、本明細書中に開示した拳銃及びロックデバイスを正しく位置決めするために調節できるので、好ましいデバイスとなっている。
【００３１】
部材１９Ａ等の前ばね部材を一体のプラスチックエレメントとして示したが、ばね部材は、実際には、所定のロックデバイスの主本体に取り付けられたコイルばね等の他のデバイスであってもよいということに着目することが重要である。更に、作動アームは、特定の実施形態のロックデバイス本体と一体であるように示してある。このようなアームは、任意の適当な手段によってデバイス本体に取り付けられた別体の部材であってもよいということは理解されるべきである。
【００３２】
図１乃至図２０に示すデバイスは、右手で抜くように設計されている。左手で抜くためのデバイスはこれと鏡像をなすか或いは、各々が右利き用デバイスであり、そうでない場合には、構造及び作動が実質的に同じである。
【図面の簡単な説明】
【００３３】
【図１】型成形された内面を有する、本発明によるホルスターの側面図である。
【図２】図１のホルスターで使用するための、本発明によるばね負荷された排莢口ロックの、後方から見た斜視図である。
【図３】図２のロックの平面図である。
【図４】図１のロックの正面図である。
【図５】図１のロックの側面図である。
【図６】図１のロックの底面図である。
【図７】図１のロックの後面図である。
【図８】ロックの内面の特徴を示すために一部を断面で示す、本発明による排莢口ロックの側面図である。
【図９】拳銃に装着した図８のロックの部分断面の平面図である。
【図１０】図８のロックの拳銃に対する関係を示す、拳銃の側面図である。
【図１１】ホルスターの内面に対する関係を示す、図８のロックの後面図である。
【図１２】図１のロックの側面図である。
【図１３】本発明による調節自在の張力デバイスを示す図である。
【図１４】本発明による調節自在の張力デバイスを示す図である。
【図１５】本発明によるロックデバイスの他の実施形態を示す図である。
【図１６】本発明によるロックデバイスの他の実施形態を示す図である。
【図１７】本発明によるロックデバイスの他の実施形態を示す図である。
【図１８】本発明によるロックデバイスの別の実施形態を示す図である。
【図１９】本発明によるロックデバイスの別の図である。
【図２０】図１９のロックデバイスの別の図である。
【図２１】本発明による調節自在の張力デバイスの別の実施形態の図である。
【図２２】図１９及び図２０のロックデバイスによって固定される拳銃の斜視図である。
【図２３】図１８のロックデバイスによって固定される拳銃の斜視図である。
【図１】
2009526196.tif 000003
【図２】
2009526196.tif 000004
【図３】
2009526196.tif 000005
【図４】
2009526196.tif 000006
【図５】
2009526196.tif 000007
【図６】
2009526196.tif 000008
【図７】
2009526196.tif 000009
【図８】
2009526196.tif 000010
【図９】
2009526196.tif 000011
【図１０】
2009526196.tif 000012
【図１１】
2009526196.tif 000013
【図１２】
2009526196.tif 000014
【図１３】
2009526196.tif 000015
【図１４】
2009526196.tif 000016
【図１５】
2009526196.tif 000017
【図１６】
2009526196.tif 000018
【図１７】
2009526196.tif 000019
【図１８】
2009526196.tif 000020
【図１９】
2009526196.tif 000021
【図２０】
2009526196.tif 000022
【図２１】
2009526196.tif 000023
【図２２】
2009526196.tif 000024
【図２３】
2009526196.tif 000025
【手続補正書】
【提出日】平成20年10月9日(2008.10.9)
【手続補正１】
【補正対象書類名】特許請求の範囲
【補正対象項目名】全文
【補正方法】変更
【補正の内容】
【特許請求の範囲】
【請求項１】
ホルスターに収めることができる拳銃を、本体及び内部キャビティを持つホルスターに固定するための拳銃ロック装置において、
前部分及び後部分を持つレバー部材と、
前記レバー部材を前記ホルスターに移動自在に取り付けるための手段と、
を備え、
前記レバー部材は、前記拳銃が前記ホルスターから抜けないように前記拳銃を前記ホルスター内のホルスター収容位置にロックするため、前記拳銃の一部と確実に係合するためのロック部材を持ち、
前記レバー部材の前記後部分は、前記拳銃を前記ホルスターから抜くことができるように前記ロック部材を前記拳銃から上方に遠ざかる方向に枢動させるように、使用者によって移動できるようになっており、
前記ホルスター内に挿入された前記拳銃を前記ロック部材と接触した状態に位置決めするための張力部材が前記ホルスター内に設けられている、装置。
【請求項２】
請求項１に記載の装置において、
前記レバー部材は、前記ホルスターの本体と接触する前ばね部材を含み、前記前ばね部材は、前記ホルスターに収められた前記拳銃に向かって前記レバー部材の前記前部分を押圧し、前記ロック部材を前記ホルスターに収められた前記拳銃と確実に係合させるようになっている、装置。
【請求項３】
請求項１に記載の装置において、
キャビティが型成形によって形成されており、このキャビティは、前記レバー部材の前記前部分から間隔が隔てられた内面を形成し、これにより、前記レバー部材の前記前部分を、前記ホルスターに収められた前記拳銃から上方に遠ざかる方向に、前記拳銃を前記ホルスターから抜くことができるのに十分な距離だけ移動できるようにする、装置。
【請求項４】
請求項１に記載の装置において、
前記移動自在に取り付けるための手段は、前記レバー部材を前記ホルスターの内側に枢着させるため、前記レバー部材に取り付けられた、間隔が隔てられた一対の柱を含む、装置。
【請求項５】
請求項１に記載の装置において、
前記レバー部材の前記後部分は作動アームを含み、前記作動アームは、前記ホルスター内にある前記拳銃を抜くことができるように、前記レバー部材を作動して前記ロック部材を前記拳銃から上方に遠ざかる方向に移動させるようになっている、装置。
【請求項６】
請求項１に記載の装置において、
前記ロック部材は、前記拳銃の排莢口（イジェクトポート）の縁部に嵌着する大きさを備えている、装置。
【請求項７】
ホルスターに収めることができる拳銃を、本体及び内部キャビティを持つホルスターに固定するための拳銃ロック装置において、
前部分及び後部分を持ち、前記前部分は外面及び内面を有し、前記内面は、前記拳銃が前記ホルスターから抜けないように前記拳銃の一部と確実に係合し、前記拳銃を前記ホルスターにロックする少なくとも一つのロック部材を含む、レバー部材と、
前記レバー部材を前記キャビティに枢着するための手段と、
を備え、
前記レバー部材の前記後部分は、前記拳銃を前記ホルスターから抜くことができるように前記少なくとも一つのロック部材を前記拳銃から上方に遠ざかる方向に枢動させるように、使用者によって移動できるようになっており、
前記拳銃を前記ロック部材と接触した状態に位置決めするための張力部材が前記ホルスター内に設けられている、装置。
【請求項８】
請求項７に記載の装置において、
前記レバー部材は、当該レバー部材の前記前部分から外方に延びる前ばね部材を含み、前記前ばね部材は、前記ホルスターの前記本体と接触し、前記レバー部材の前記前部分を所定位置に押圧し、前記少なくとも一つのロック部材を前記ホルスターに収められた前記拳銃と接触させるようになっている、装置。
【請求項９】
請求項７に記載の装置において、
前記枢着するための手段は、前記レバー部材を前記ホルスターに枢着させるため、前記レバー部材に取り付けられた、間隔が隔てられた一対の柱を含む、装置。
【請求項１０】
請求項７に記載の装置において、
前記レバー部材の前記後部分は作動アームを含み、前記作動アームは、前記ホルスター内にある前記拳銃を抜くことができるように、前記レバー部材を枢動して前記少なくとも一つのロック部材を前記拳銃から上方に遠ざかる方向に移動させるようになっている、装置。
【請求項１１】
請求項７に記載の装置において、
前記レバー部材の前記後部分は、前記レバー部材を前記ホルスターに取り付けるためのパッド部材を含み、該パッド部材は、前記レバー部材を前記ホルスターに取り付けるためのファスナ用の貫通穴を有する、装置。
【請求項１２】
請求項７に記載の装置において、
前記少なくとも一つのロック部材は、前記拳銃の排莢口の縁部に嵌着する大きさを備えている、装置。
【請求項１３】
請求項７に記載の装置において、
前記張力部材は、
拳銃接触面及びカム面を持つ移動自在のアーム部材と、下方のホルスター係合面とを含む本体と、
前記本体によって支持されており、前記拳銃を強制的に第１位置に置くため、前記拳銃接触面を前記拳銃に当てて位置決めするように前記アーム部材を移動するための、前記カム面と接触した移動自在の部材と、
前記デバイスを前記拳銃ホルスター内に固く取り付ける手段とを含む、装置。
【請求項１４】
請求項１３に記載のデバイスにおいて、
前記本体は、前記ホルスター内での前記拳銃の下方への移動を制限するための拳銃接触面を更に含む、デバイス。
【請求項１５】
請求項１３に記載のデバイスにおいて、
前記移動自在の部材は、前記本体に取り付けられたねじを含み、このねじは、前記カム面と接触した第１端部分と、前記拳銃接触面を移動させるため、使用者が前記ねじを回転させるよう設けられた第２端部分とを含む、デバイス。
【請求項１６】
ホルスターに収めることができる拳銃を固定するための拳銃用ホルスターにおいて、
前記拳銃を支持するためのホルスターを備え、該ホルスターは、
前縁部分及び後縁部分を各々有する一対の側壁であって、前記前縁部分及び後縁部分の各々に沿って接合され、前壁部分及び後壁部分を持つ内部キャビティを形成する、側壁と、
前部分及び後部分を持つ本体を含むレバー部材と、
前記前壁部分と接触して前記本体を前記ホルスターに支持された前記拳銃に対して押し付けるため、前記本体の前記前部分から前方及び外方に突出したばね要素と、
前記本体を前記ホルスターに移動自在に取り付けるための手段であって、前記本体は、前記拳銃が抜けないように、前記拳銃と確実に係合するためのロック面を含む、手段と、
前記本体の前記後部分から後方に延びる作動アームであって、該作動アームが第１位置から移動するとき、前記ロックフランジを前記拳銃から上方に遠ざかる方向に移動させ、前記本体を前記拳銃から遠ざかる方向に移動させるような、作動アームと、
前記拳銃の一部を前記ホルスターキャビティ内に位置決めするため、前記ホルスターに挿入された前記拳銃と係合する、前記キャビティの前記後壁部分に取り付けられた張力デバイスと、
を備えた、ホルスター。
【請求項１７】
請求項１６に記載のホルスターにおいて、
前記レバー部材の前記本体の一部分は円弧状形状であり、前記本体は、前記キャビティの前記前壁部分から離れて位置決めされた外面と、前記ロック面が得られるように形成された内面と、を持つ、ホルスター。
【請求項１８】
請求項１７に記載のホルスターにおいて、
前記ロック面は、前記拳銃の排莢口の一部に嵌着し、前記拳銃が抜けないようにする大きさの突出部分を含む、ホルスター。
【請求項１９】
請求項１７に記載のホルスターにおいて、
前記ロックフランジは、前記拳銃の排莢口の前縁部に当てて位置決めできる突出ボスを含む、ホルスター。
【請求項２０】
請求項１６に記載のホルスターにおいて、
前記レバー部材の前記本体は、前記ホルスターの前記内部キャビティ内に挿入される拳銃の移動を案内するための少なくとも一つの傾斜面を含み、該少なくとも一つの傾斜面は、前記本体の前記前部分の前方に延びる延長アームと、前記拳銃が前記ホルスターから抜けないように前記拳銃の一部とぴったりと隣接して位置決めできる、前記延長アームと一体のロック面とを含む、ホルスター。
【国際調査報告】
2009526196.tif 000026
2009526196.tif 000027
2009526196.tif 000028